(57)【要約】【課題】脚の前後の動きに追随して、立体ギャザーと共に吸収体を前後に動き易くすることによって、鼠蹊部から脚の付け根にかけての肌トラブルを防止する。【解決手段】トップシート１１と防水シート１２との間に、包被シート１４によって囲繞された吸収体１３が介在されるとともに、表面側の両側部にそれぞれ立体ギャザーBSが形成された吸収性本体１０と、この吸収性本体１０の外面側に一体的に設けられた外装シート２０とを備えた使い捨て紙おむつ１とする。吸収体１３は、少なくとも着用者の股間部に対応する部位であって、おむつ幅方向の中間部に、おむつ長手方向に沿って該吸収体１３の離隔部３０を形成する。トップシート１１、防水シート１２、包被シート１４及び外装シート２０はそれぞれ、少なくとも前記離隔部３０に対応する領域に、外力を受けることによって伸張可能とされる伸張可能化手段を施す。【選択図】図２
2013192848.tif 000002
【特許請求の範囲】
【請求項１】
透液性のトップシートと防水シートとの間に、包被シートによって囲繞された吸収体が介在されるとともに、表面側の両側部にそれぞれ立体ギャザーが形成された吸収性本体と、この吸収性本体の外面側に一体的に設けられた外装シートとを備えた使い捨て紙おむつにおいて、
前記吸収体は、少なくとも着用者の股間部に対応する部位であって、おむつ幅方向の中間部に、おむつ長手方向に沿って該吸収体の離隔部が形成され、
前記トップシート、防水シート、包被シート及び外装シートはそれぞれ、少なくとも前記離隔部に対応する領域に、外力を受けることによって伸張可能とされる伸張可能化手段が施されていることを特徴とする使い捨て紙おむつ。
【請求項２】
前記伸張可能化手段は、各シート材がおむつ表面側及び裏面側に凹凸する凹凸状に形成されることによって構成されている請求項１記載の使い捨て紙おむつ。
【請求項３】
前記伸張可能化手段は、各シート材が伸縮性を有する素材で形成されることによって構成されている請求項１、２いずれかに記載の使い捨て紙おむつ。
【請求項４】
前記伸張可能化手段は、おむつ幅方向の全幅に亘って施されている請求項１〜３いずれかに記載の使い捨て紙おむつ。
【請求項５】
前記トップシートと吸収体との間に親水性のセカンドシートが介在され、前記セカンドシートの少なくとも前記離隔部に対応する領域に、前記伸張可能化手段が施されている請求項１〜４いずれかに記載の使い捨て紙おむつ。
【請求項６】
前記離隔部には、高吸収性ポリマーが配設されている請求項１〜５いずれかに記載の使い捨て紙おむつ。
【請求項７】
前記離隔部の前側及び後側には、おむつ幅方向に亘って前記吸収体が介在しない緩衝部が設けられている請求項１〜６いずれかに記載の使い捨て紙おむつ。
【請求項８】
前記伸張可能化手段は、おむつ幅方向の全幅に亘って、おむつ表面側及び裏面側に凹凸する凹凸状に形成されることによって構成され、
前記吸収体が介在する領域に形成される凹凸の高さよりも、前記離隔部に対応する領域に形成される凹凸の高さの方が相対的に高く形成されている請求項１〜７いずれかに記載の使い捨て紙おむつ。
【請求項９】
前記離隔部は、前記吸収体のおむつ幅方向の中間部に間隔をあけて２箇所以上設けられている請求項１〜８いずれかに記載の使い捨て紙おむつ。
【発明の詳細な説明】
【技術分野】
【０００１】
本発明は、脚の前後の動きに追随して、立体ギャザーと共に吸収体を前後方向に動きやすくした使い捨て紙おむつに関する。
【背景技術】
【０００２】
従来より、少なくとも、表面側に配置される透液性のトップシートと、裏面側に配置される不透液性のバックシートと、これらの両シート間に介在された吸収体と、表面側両側部に形成された立体ギャザーとにより物品本体が構成されており、排泄物がトップシートを介して吸収体に吸収、保持される使い捨て紙おむつが知られている。
【０００３】
かかる吸収性物品にも幾多の改良が重ねられ、着用者の動作による変形にも良好に追随するようにしたものが開発されている。例えば、下記特許文献１では、複数の吸収部が互いに離間して、基盤シートに固定部を介して接合され、該固定部は平面視において前記吸収部の領域に包含されており、前記複数の吸収部は互いに液体連通化しうる状態に配列された吸収体を備えた吸収性物品が開示されている。
【先行技術文献】
【特許文献】
【０００４】
【特許文献１】特開２０１０−２６８９１９号公報
【発明の概要】
【発明が解決しようとする課題】
【０００５】
しかしながら、上記特許文献１記載の吸収性物品では、吸収体として独立した多数の小さな吸収部の集合で構成することによって吸収体の変形性を高め、身体適合性や動作追随性を良好にしているが、立体ギャザーとの関係については示されていない。
【０００６】
すなわち、使い捨て紙おむつでは特に尿などの横漏れを防止するため、立体ギャザーの自由端部を肌側に押し付けることによって肌との密着性を確保する必要があるが、この立体ギャザーが鼠蹊部から股下の脚の付け根部分に擦れて肌トラブルを発生させる問題がしばしば発生していた。特に、しっかりとした歩行ができるまでに成長した乳幼児は、両脚の膝頭同士の間隔が骨盤の幅より小さいかほぼ同等となり、脚の付け根が使い捨て紙おむつの両側に押し付けられるようになることに加え、歩行や駆け足など脚が前後に広い可動域を伴って激しく動くようになるため、立体ギャザー自体の変形量だけでは追随できず、吸収体の剛性に立体ギャザーの変形が阻まれて、立体ギャザーと肌との間で擦れが生じるようになる。
【０００７】
更に、鼠蹊部は排泄物が付着したり汗が溜まったりして蒸れ易い部位であり、この蒸れによって肌がふやけて、少しの擦れでも肌に擦り傷がついたり、皮が剥けたり、粉が吹いたりするなどの肌トラブルが発生しやすかった。
【０００８】
そこで本発明の主たる課題は、脚の前後の動きに追随して、立体ギャザーと共に吸収体を前後に動きやすくすることによって、鼠蹊部から脚の付け根にかけての肌トラブルを防止した使い捨て紙おむつを提供することにある。
【課題を解決するための手段】
【０００９】
上記課題を解決するために請求項１に係る本発明として、透液性のトップシートと防水シートとの間に、包被シートによって囲繞された吸収体が介在されるとともに、表面側の両側部にそれぞれ立体ギャザーが形成された吸収性本体と、この吸収性本体の外面側に一体的に設けられた外装シートとを備えた使い捨て紙おむつにおいて、
前記吸収体は、少なくとも着用者の股間部に対応する部位であって、おむつ幅方向の中間部に、おむつ長手方向に沿って該吸収体の離隔部が形成され、
前記トップシート、防水シート、包被シート及び外装シートはそれぞれ、少なくとも前記離隔部に対応する領域に、外力を受けることによって伸張可能とされる伸張可能化手段が施されていることを特徴とする使い捨て紙おむつが提供される。
【００１０】
上記請求項１記載の発明では、前記吸収体に対し、少なくとも着用者の股間部に対応する部位であって、おむつ幅方向の中間部に、おむつ長手方向に沿って該吸収体の離隔部を形成するとともに、前記トップシート、防水シート、包被シート及び外装シートのそれぞれに対し、少なくとも前記離隔部に対応する領域に、外力を受けることによって伸張可能とされる伸張可能化手段を施している。このため、脚の付け根部分に密着している立体ギャザーが脚の動きによって動いたとき、前記離隔部の両側に位置する吸収体に外力が作用し、前記離隔部に対応する領域に配設される各シート材に施された伸張可能化手段が伸張して立体ギャザーの動きに追随して前記吸収体が容易に移動できるようになる。このように、脚の動きに追随して立体ギャザー及び吸収体が動く結果、立体ギャザーの表面が脚の付け根部分に密着した状態が維持でき、立体ギャザー表面と肌との擦れによる肌トラブルが防止できるようになる。
【００１１】
特に、立体ギャザーの脚の付け根への圧着力によって生じる立体ギャザー表面と肌との間の摩擦力に対し、前記離隔部の両側に位置する吸収体が前後方向に移動する際の抵抗力の方が小さい場合、脚を前後に動かしたときに立体ギャザー表面と肌との擦れが生じる前に、立体ギャザーの動きに追随して吸収体が前後に移動するようになるため、肌と立体ギャザー表面との擦れが確実に抑えられ、より一層肌トラブルが防止できるようになる。
【００１２】
請求項２に係る本発明として、前記伸張可能化手段は、各シート材がおむつ表面側及び裏面側に凹凸する凹凸状に形成されることによって構成されている請求項１記載の使い捨て紙おむつが提供される。
【００１３】
上記請求項２記載の発明は、前記伸張可能化手段の具体的な形態例であり、各シート材をそれぞれおむつ表面側及び裏面側に凹凸する凹凸状に形成したものである。このような凹凸状に形成することによって、離隔部の両側に位置する吸収体が外力を受けた場合、各シート材の凹凸が引き延ばされて両側の吸収体が移動しやすくなる。凹凸状に形成するには、おむつ幅方向に対し表面側及び裏面側で交互に折り返した波状に形成したものや、おむつ幅方向及び長手方向に対し表面側及び裏面側に向けて交互に突出する突状エンボスを設けたものなどとすることができる。
【００１４】
請求項３に係る本発明として、前記伸張可能化手段は、各シート材が伸縮性を有する素材で形成されることによって構成されている請求項１、２いずれかに記載の使い捨て紙おむつが提供される。
【００１５】
上記請求項３記載の発明は、前記伸張可能化手段の他の形態例であり、各シート材を伸縮性素材によって構成したものである。伸縮性素材を用いることによって吸収体の移動がスムーズに行われるとともに、外観がすっきりするようになる。なお、各シート材を伸縮性素材とした上で凹凸状に形成することによって、より一層吸収体が移動しやすくなる。
【００１６】
請求項４に係る本発明として、前記伸張可能化手段は、おむつ幅方向の全幅に亘って施されている請求項１〜３いずれかに記載の使い捨て紙おむつが提供される。
【００１７】
上記請求項４記載の発明では、離隔部の両側に位置する吸収体を移動させるには各シート材の離隔部に対応する領域に伸張可能化手段を施せば十分であるが、より吸収体の移動をスムーズにさせるとともに、伸張可能化手段の加工性等を考慮して、おむつ幅方向の全幅に亘って伸張可能化手段を施すことができるようにしている。
【００１８】
請求項５に係る本発明として、前記トップシートと吸収体との間に親水性のセカンドシートが介在され、前記セカンドシートの少なくとも前記離隔部に対応する領域に、前記伸張可能化手段が施されている請求項１〜４いずれかに記載の使い捨て紙おむつが提供される。
【００１９】
上記請求項５記載の発明では、体液の吸収効果を高めるためトップシートと吸収体との間に親水性セカンドシートを介在させた場合、このセカンドシートに対しても伸張可能化手段を施すようにしている。
【００２０】
請求項６に係る本発明として、前記離隔部には、高吸収性ポリマーが配設されている請求項１〜５いずれかに記載の使い捨て紙おむつが提供される。
【００２１】
上記請求項６記載の発明では、離隔部には吸収体が介在しないため体液吸収効果が低下するので、この離隔部に高吸収性ポリマーを配設するようにしている。特に、伸張可能化手段として各シート材を凹凸状に形成した場合、裏面側に向けて凸となる部分に体液が滞留し易いため、この部分に高吸収性ポリマーを配設することが好ましい。
【００２２】
請求項７に係る本発明として、前記離隔部の前側及び後側には、おむつ幅方向に亘って前記吸収体が介在しない緩衝部が設けられている請求項１〜６いずれかに記載の使い捨て紙おむつが提供される。
【００２３】
上記請求項７記載の発明では、前記離隔部を着用者の股間部に対応する部位のみに設け、これより前側及び後側の胴周り領域には離隔部が形成されない吸収体を配置した場合について規定してあり、離隔部の両側に位置する吸収体が脚の前後の動きによって前後方向に移動したとき、前記胴周り領域の吸収体によって移動が阻害されないよう、前記離隔部の前側及び後側に、おむつ幅方向に亘って前記吸収体が介在しない緩衝部を設けるようにしている。
【００２４】
請求項８に係る本発明として、前記伸張可能化手段は、おむつ幅方向の全幅に亘って、おむつ表面側及び裏面側に凹凸する凹凸状に形成されることによって構成され、
前記吸収体が介在する領域に形成される凹凸の高さよりも、前記離隔部に対応する領域に形成される凹凸の高さの方が相対的に高く形成されている請求項１〜７いずれかに記載の使い捨て紙おむつが提供される。
【００２５】
上記請求項８記載の発明では、伸張可能化手段として、各シート材をおむつ全幅に亘って凹凸状に形成した場合、吸収体が介在する領域に形成される凹凸の高さよりも、前記離隔部に対応する領域に形成される凹凸の高さの方が相対的に高く形成するようにしている。前述の通り、各シート材の離隔部を跨ぐ部分は吸収体の移動に大きく寄与するため、この部分の凹凸の高さを高くして外力を受けたときに凹凸が引き延ばされる移動量を十分に確保するようにしたものである。
【００２６】
請求項９に係る本発明として、前記離隔部は、前記吸収体のおむつ幅方向の中間部に間隔をあけて２箇所以上設けられている請求項１〜８いずれかに記載の使い捨て紙おむつが提供される。
【００２７】
上記請求項９記載の発明では、前記離隔部を吸収体のおむつ幅方向の中間部に間隔をあけて２箇所以上設けるようにしている。すなわち、吸収体がおむつ幅方向に３つ以上に分割されるようにしている。これによって、両側の吸収体の移動量が十分に確保できるとともに、おむつ幅方向中央部にも吸収体が介在するようになるため体液吸収効果が向上できる。
【発明の効果】
【００２８】
以上詳説のとおり本発明によれば、脚の前後の動きに追随して、立体ギャザーと共に吸収体を前後に動きやすくすることによって、鼠蹊部から脚の付け根にかけての肌トラブルを防止した使い捨て紙おむつが提供できるようになる。
【図面の簡単な説明】
【００２９】
【図１】本発明に係る使い捨て紙おむつ１の一部破断展開図である。
【図２】そのII−II線矢視図（横断面図）である。
【図３】立体ギャザーＢＳ及び吸収体１３の力の状態を示す模式図である。
【図４】凹凸状の伸張可能化手段を示すシート材の斜視図である。
【図５】他の形態例に係る使い捨て紙おむつ１の横断面図である。
【図６】包被シート１４の配設パターンを示す横断面図である。
【図７】他の形態例に係る使い捨て紙おむつ１の横断面図である。
【図８】他の形態例に係る使い捨て紙おむつ１の展開図である。
【図９】他の形態例に係る使い捨て紙おむつ１の横断面図である。
【図１０】他の形態例に係る使い捨て紙おむつ１の横断面図である。
【図１１】他の形態例に係る使い捨て紙おむつ１の横断面図である。
【発明を実施するための形態】
【００３０】
以下、本発明の実施の形態について図面を参照しながら詳述する。
【００３１】
図１及び図２に示されるように、本使い捨て紙おむつ１（以下、単におむつともいう。）は、不織布などからなる透液性トップシート１１と、ポリエチレン等からなる防水シート１２との間に、不織布やクレープ紙などからなる包被シート１４によって囲繞された綿状パルプなどの吸収体１３を介在させるとともに、表面側の両側部にそれぞれ肌側に起立する立体ギャザーＢＳ、ＢＳが形成された吸収性本体１０と、この吸収性本体１０の外面側に一体的に設けられた外装シート２０とからなり、製品状態でおむつ長手方向中央部で前記外装シート２０の前身頃と後身頃とが重ね合わされ、両側端の接合縁部２１、２２で接合されることによりウエスト開口部２３及び左右一対のレッグ開口部２９が形成された構造のパンツ型おむつである。
【００３２】
以下、前記前記使い捨て紙おむつ１の構造について具体的に詳述する。
【００３３】
（吸収性本体１０の構造）
先ず最初に、前記吸収性本体１０の構造の一例について図１及び図２に基づいて詳述する。
【００３４】
吸収性本体１０は、前述したように、不織布などからなる透液性トップシート１１と、ポリエチレン等からなる防水シート１２との間に、包被シート１４によって囲繞された綿状パルプなどの吸収体１３を介在させた構造とされ、体液を吸収保持するものである。
【００３５】
前記吸収体１３は、図示例では平面形状を略方形状として成形されたものが使用され、その幅寸法は股間部への当たりによって着用者にゴワ付き感を与えない寸法幅となっている。この吸収体１３は、形状保持と透液性トップシート１１を透過した体液の拡散性向上のために包被シート１４によって囲繞されている。なお、前記吸収体１３としては、嵩を小さくできるエアレイド吸収体を用いるのが望ましい。この吸収体１３には、所定の部位に吸収体１３が介在しない吸収体１３の離隔部３０が形成されているが、これについては後段で詳述する。
【００３６】
前記吸収体１３の表面側（肌当接面側）を覆う透液性トップシート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。透液性トップシート１１に多数の透孔を形成した場合には、尿などが速やかに吸収されるようになり、ドライタッチ性に優れたものとなる。前記透液性トップシート１１は、吸収体１３の側縁部を巻き込んで吸収体１３の裏面側まで延在している。
【００３７】
前記吸収体１３の裏面側（非肌当接面側）を覆う防水シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００３８】
前記吸収体１３を囲繞する包被シート１４としては、クレープ紙、親水性不織布等、吸収体１３への体液吸収を阻害することなく、体液等を透過させ、かつ吸収体１３が崩れないように形状保持するものであればどのようなシートを用いてもよい。この包被シート１４は、無孔シートの他、多数の開孔が形成された多孔シートを用いることができる。
【００３９】
一方、前記立体ギャザーＢＳを形成するギャザー不織布１５は、図２に示されるように、折返しによって二重シートとした不織布が用いられ、前記透液性トップシート１１によって巻き込まれた吸収体１３の側縁部をさらにその上側から巻き込んで吸収体１３の裏面側まで延在して接着されている。より具体的には、前記ギャザー不織布１５は、紙おむつの長手方向中間部では、立体ギャザーＢＳ形成部分を残し、幅方向中間部から吸収体１３の裏面側に亘る範囲がホットメルト接着剤等によって接着され、また長手方向前後端部では、前記幅方向中間部から一方側端縁までの区間が吸収体１３の裏面側に亘る範囲で接着されるとともに、前記立体ギャザーＢＳを形成する部分を吸収体１３の上面部にて折り畳むようにしながらホットメルト接着剤等により接着している。
【００４０】
前記二重シート不織布によって形成されたギャザー不織布１５の内部には、起立先端側部分に複数本の糸状弾性部材１６、１６…と、起立基端部及び中間部にそれぞれ糸状弾性伸縮部材１７、１７とが配設されている。前記糸状弾性部材１６、１６…は、製品状態において図２に示されるように、弾性伸縮力により吸収体側縁部より突出する不織布部分を起立させて立体ギャザーＢＳを形成するとともに、立体ギャザーＢＳの表面を肌側に押し付けるためのものである。また、二重シートの内部には、ギャザー用防水シート１８が配設され、立体ギャザーＢＳのほぼ全体が防漏壁を構成するようになっている。
【００４１】
前記防水シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。かかる防水シート１２は、前記ギャザー用防水シート１８と別に設けられているが、防水シート１２の両側部を前記二重シート状のギャザー不織布１５の内部まで進入させ、前記ギャザー用防水シート１８と一体的に構成するようにしてもよい。
【００４２】
前記糸状弾性部材１６、１７としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５dtex以下、伸長率は150〜350％（自然状態を100％としてこの状態からの伸び率）、間隔は7.0mm以下として配設するのがよい。なお、糸状弾性部材に代えて、ある程度の幅を有するテープ状弾性部材を用いるようにしてもよい。
【００４３】
前述のギャザー不織布１５を構成する素材繊維も前記透液性トップシート１１と同様に、ポリエチレンまたはポリプロピレン等のオレフィン系、ポリエステル系、ポリアミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法によって得られた不織布を用いることができるが、特にはムレを防止するために坪量を抑えて通気性に優れた不織布を用いるのがよい。さらに前記ギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００４４】
また、前記透液性トップシート１１と吸収体１３との間には、親水性不織布からなるセカンドシート１９を介在させるようにしてもよい。このセカンドシート１９は、無孔シートの他、多数の開孔が形成された多孔シートを用いることができる。前記親水性不織布としては、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることにより親水性を有するようにしたものを好適に用いることができる。
【００４５】
前記透液性トップシート１１、防水シート１２、包被シート１４及びセカンドシート１９にはそれぞれ、所定領域に伸張可能化手段が施されているが、これについては後段で詳述する。
【００４６】
（外装シート２０の構造）
外装シート２０は、図１に示されるように、上層不織布２０Ａ及び下層不織布２０Ｂからなる２層構造の不織布シートとされ、前記上層不織布２０Ａと下層不織布２０Ｂとの間に各種弾性部材２４、２５が配設され、伸縮性が付与されている。平面形状は、中間両側部に夫々レッグ開口部２９を形成するために凹状の切欠き部が形成され、全体として擬似砂時計形状を成している。
【００４７】
本発明に係る外装シート２０においては、前記弾性部材として、図１に示されるように、前記ウエスト開口部２３に配置されたウエスト部弾性部材２４，２４…と、前身頃Ｆ及び後身頃Ｂに、上下方向に間隔をおいて水平方向に沿って配置された複数の腰周り弾性部材２５，２５…とを備えるものである。
【００４８】
前記外装シート２０には、少なくとも所定領域に伸張可能化手段が施されているが、これについては後段で詳述する。
【００４９】
（吸収体１３の離隔部３０及び伸張可能化手段について）
前記吸収体１３には、少なくとも着用者の股間部に対応する部位であって、おむつ幅方向の中間部に、図示例ではおむつ幅方向の中央部に、おむつ長手方向に沿って該吸収体１３の離隔部３０が形成されている。すなわち、図２に示されるように、股間部の横断面視で、幅方向両側部が吸収体１３が介在する両側領域Ａ、Ａとされ、幅方向中央部が吸収体１３が介在しない離隔部領域Ｂとされている。前記吸収体１３の離隔部３０は、図１に示されるように、吸収体１３のおむつ長手方向の全長に亘って形成することが好ましいが、後段で詳述するように、おむつ長手方向の所定範囲に形成することもできる（図６参照）。
【００５０】
前記「着用者の股間部に対応する部位」とは、前記糸状弾性部材１６の伸縮力によって前記立体ギャザーＢＳが肌側に起立する範囲とほぼ同等の範囲であって、前記レッグ開口部２９のうち少なくとも下側半分を含む範囲のことである。
【００５１】
また、図２に示されるように、前記透液性トップシート１１、防水シート１２、包被シート１４、セカンドシート１９及び外装シート２０はそれぞれ、少なくとも前記離隔部３０に対応する領域（離隔部３０と重なる領域）に、外力を受けることによって伸張可能とされる伸張可能化手段が施されている。
【００５２】
各シート材の前記離隔部３０に対応する領域に前記伸張可能化手段を施すことによって、脚の付け根部分に密着している立体ギャザーＢＳが脚の動きによって動いたとき、前記離隔部の両側に位置する吸収体１３に外力が作用し、各シート材の前記伸張可能化手段が伸張して立体ギャザーＢＳの動きに追随して吸収体１３が容易に移動できるようになる。このように、脚の動きに追随して立体ギャザーＢＳ及び吸収体１３が動く結果、立体ギャザーＢＳの表面が脚の付け根部分に密着した状態が維持でき、立体ギャザーＢＳの表面と肌との擦れによる肌トラブルが防止できるようになる。
【００５３】
特に、図３に示されるように、立体ギャザーＢＳの脚の付け根への圧着力Ｎによって生じる立体ギャザーＢＳ表面と肌との間の摩擦力μＮに対し、前記離隔部３０の両側に位置する吸収体１３が前後方向に移動する際の抵抗力Ｔの方が小さくなるように構成した場合、脚を前後に動かしたときに立体ギャザーＢＳ表面と肌との擦れが生じる前に、立体ギャザーＢＳの動きに追随して吸収体１３が前後に移動するようになるため、肌と立体ギャザーＢＳとの擦れが確実に抑えられ、より一層肌トラブルが防止できるようになる。
【００５４】
前記伸張可能化手段としては、図２に示されるように、各シート材を、おむつ表面側及び裏面側に凹凸させた凹凸状に形成することによって構成することができる。このような凹凸状に形成するには、図４(A)に示されるように、おむつ幅方向に対し表面側及び裏面側で交互に折り返すか、或いはおむつ幅方向に対し表面側及び裏面側に向けて交互に突出するようにおむつ長手方向に沿った溝状のエンボスを複数形成することによって波状に形成したものや、図４(B)に示されるように、おむつ幅方向及び長手方向に対し表面側及び裏面側に向けて交互に突出する突状エンボスを形成したものなどとすることができる。前者の波状に形成したものは、外力を受けることによっておむつ幅方向に伸張するものであり、両側の吸収体１３、１３間の離間距離を確保することによって両側の吸収体１３が前後に移動できるようにしている。また、後者の突状エンボスを形成したものは、外力を受けることによって各シート材がおむつ幅方向及びおむつ長手方向に伸張できるようにしたものであり、両側の吸収体１３が脚の動きによって前後に移動しやすくしている。
【００５５】
また、図２では前記伸張可能化手段がおむつ幅方向の全幅に亘って施してあるが、図５に示されるように、外力を受けることによって各シート材が伸張するのは離隔部３０に対応する部分であるので、前記離隔部３０に対応する離隔部領域Ｂにのみ前記伸張可能化手段を施して、吸収体１３が介在する両側領域Ａでは平面状に形成すようにしてもよい。
【００５６】
前記伸張可能化手段が施された部分では、各シート材同士の接着は、それぞれ突状になっている頂部にホットメルト等の接着剤を塗布して相互に接着させるようにする。カーテン塗布やスロット（べた）塗布では、各シート材の凹凸が潰れたりして、吸収体１３の移動が生じなくなる。
【００５７】
吸収体１３に対する包被シート１４の配設パターンとしては、図２に示されるように、両側の吸収体１３、１３を一体的に表面側と裏面側からそれぞれ被包シート１４で覆うことによって、離隔部３０で被包シート１４、１４同士が接合された二重シート構造となるようにしてもよいが、図６に示されるように、種々の形態で配設することもできる。図６(A)に示されるように、両側の吸収体１３、１３をそれぞれ包被シート１４によって囲繞した上で、基盤となるシート材１４ａに接着剤やヒートシール、超音波接合などによって接合されるようにしてもよい。また、同図６(B)に示されるように、表面側又は裏面側の何れか一方の包被シート１４を両側の吸収体１３、１３に一体的に配設し、他方の包被シート１４を両側の吸収体１３に個別的に配設するようにしてもよい。図６(A)、(B)に示される配設パターンでは、離隔部３０に配設される包被シート１４が一重であるので、外力を受けたときに伸張しやすくなる。
【００５８】
一方、離隔部３０は吸収体１３が介在しないため、この部分の体液吸収効果が低下するという問題がある。特に、上記のように伸張可能化手段として、各シート材を凹凸状に形成した場合、裏面側に向けて凸となる部分に体液が滞留しやすいというという問題もある。このため、図７に示されるように前記離隔部３０には体液吸収力を補うため高吸収性ポリマー３１（ＳＡＰ）を配設することが好ましい。図示例では、前記高吸収性ポリマー３１は包被シート１４の表面側の凹部に配置されている。これによって、透液性トップシート１１及びセカンドシート１９を通過して包被シート１４上に滞留した体液を捕捉することができる。
【００５９】
図８に示されるように、前記離隔部３０は、おむつ長手方向に対して所定の股間部に対応する部位までとし、これより前側及び後側の胴周り領域には離隔部が形成されない吸収体を配置した場合、離隔部３０より前側及び後側にそれぞれ、おむつ幅方向に亘って吸収体１３が介在しない緩衝部３２を設けることが好ましい。離隔部３０の両側に位置する吸収体１３が脚の前後の動きによって前後方向に移動したとき、前記胴周り領域の吸収体１３によってこの移動が阻害されないようにしたものである。
【００６０】
図９に示されるように、各シート材を凹凸状にした伸張可能化手段がおむつ幅方向の全幅に亘って形成される場合、吸収体１３が介在する両側領域Ａ、Ａに形成される凹凸の高さＨＡよりも、離隔部領域Ｂに形成される凹凸の高さＨＢの方が相対的に高くなるように形成することが好ましい（ＨＡ＜ＨＢ）。前述の通り、各シート材の離隔部３０に対応する部分は、吸収体１３の移動に大きく寄与するため、この部分の凹凸の高さを高くして外力を受けたときに凹凸が引き延ばされる移動量を十分に確保している。
【００６１】
〔他の形態例〕
(1)上記形態例では、伸張可能化手段として、各シート材をおむつ表面側及び裏面側に凹凸する凹凸状に形成することによって構成していたが、図１０に示されるように、各シート材を伸縮性を有する素材で形成することによって構成してもよい。この場合、各シート材のうち少なくとも離隔部に対応する部分を伸縮性素材で構成すればよい。また、同図１０に示されるように、伸縮性素材で構成したものと、凹凸状に形成したものとを混在させてもよい。図示例では、透液性トップシート１１、包被シート１４及び外装シート２０を伸縮性素材で構成し、セカンドシート１９及び防水シート１２を凹凸状に形成している。伸縮性素材を用いることによって、吸収体１３の移動がスムーズに行われるとともに、外観が平坦ですっきりするようになる。さらに、各シート材を伸縮性素材で構成した上で、前述の凹凸状に形成すれば、より一層伸張性が良好となる。
【００６２】
前記伸縮性素材としては、具体的にはポリウレタンなどの可逆的に塑性変形し易い弾性樹脂材料からなる長繊維で構成した不織布、または引き延ばされた際に繊維自体の繊維直径は変化しないものの、ジグザグ状またはスパイラル状の捲縮が形成され、この捲縮が引き延ばされることによって伸縮性を示すようにした不織布等を使用することができる。
【００６３】
(2)上記形態例では、吸収体１３の離隔部３０をおむつ幅方向のほぼ中央部に１つ設け、吸収体１３が両側に２つに分割されるようにしたが、図１１に示されるように、離隔部３０を吸収体１３のおむつ幅方向の中間部に間隔を空けて２箇所以上設けることによって、吸収体１３がおむつ幅方向に３つ以上に分割されるようにしてもよい。これによって、両側の吸収体１３の移動量が十分に確保できるとともに、おむつ幅方向中央部にも吸収体１３が介在するようになるため体液吸収効果の向上が期待できる。
【符号の説明】
【００６４】
１…使い捨て紙おむつ、１０…吸収性本体、１１…透液性トップシート、１２…防水シート、１３…吸収体、１４…包被シート、１５…ギャザー不織布、１６・１７…糸状弾性伸縮部材、１８…ギャザー用防水シート、１９…セカンドシート、２０…外装シート、３０…離隔部、３１…高吸収性ポリマー、３２…緩衝部
【図１】
2013192848.tif 000003
【図２】
2013192848.tif 000004
【図３】
2013192848.tif 000005
【図４】
2013192848.tif 000006
【図５】
2013192848.tif 000007
【図６】
2013192848.tif 000008
【図７】
2013192848.tif 000009
【図８】
2013192848.tif 000010
【図９】
2013192848.tif 000011
【図１０】
2013192848.tif 000012
【図１１】
2013192848.tif 000013